(57)【要約】【課題】  構造が簡単で錠止力が大きく、しかも自動施錠が可能な掛金機構を提供する。【解決手段】  被施錠体の開口付近に装着され、その蓋板又は扉の自由側端縁に平行な丸棒である係止杆６に対し、ケース２の一端に、係止杆６と係合するＵ字形の係合切欠７を形成すると共に、邪魔板５の一端に対峙するラッチ８を係止杆６に平行なラッチ軸の回りを回動可能に設け、一方、ケース２内に、被施錠体の扉に平行な邪魔板５を、扉に平行にかつ直線的に移動可能に案内すると共に、ラッチ８に近接する方向に付勢し、その一端に装着されたラッチストッパー１３をラッチ８に形成された錠止突起２３に係脱させる。【選択図】  図５
2008179984.tif 000002
【特許請求の範囲】
【請求項１】
被施錠体の開口付近に装着され、その蓋板又は扉の自由側端縁に平行な丸棒である係止杆と、上記蓋板又は扉の自由側端部に装着されたケースを有し、このケース内に、上記蓋板又は扉に平行な邪魔板を、蓋板又は扉に平行にかつ直線的に移動可能に案内すると共に、係止杆に近接する方向に付勢し、一方、ケースの一端に、係止杆と係合するＵ字形の係合切欠を形成すると共に、邪魔板の一端に対峙するラッチを係止杆に平行なラッチ軸の回りを回動可能に支承し、他方、このラッチの近傍におけるケース内に、内端に邪魔板の一端部と係合する傾斜端縁を形成し、邪魔板に近接する方向に付勢されたレバーを邪魔板に垂直な方向に移動可能に案内し、また、上記ラッチの邪魔板の一端側の端部に錠止突起を形成し、この錠止突起に、邪魔板の一端においてラッチ軸と平行なストッパ軸の回りを回動可能に支承されたラッチストッパーを係合可能に臨ませると共に、ラッチストッパーの移動軌跡のラッチに近い部分におけるケースに、バックアップ部を形成したことを特徴とする錠前の掛金機構。
【発明の詳細な説明】
【技術分野】
【０００１】
この発明は、錠前の掛金機構（以下単に掛金機構という）に係り、特に、構造が簡単で、自動施錠を可能にする新規な掛金機構に関する。
【背景技術】
【０００２】
本出願人は、先に、後記特許文献１を以て、新規なプッシュ釦式ラッチ錠を提案した。
【０００３】
このプッシュ釦式ラッチ錠は、被施錠箱体の蓋板表面に、表面に符号を表示した頭部とステムとを有し、ステムに頭部からの距離が相異なる切欠を形成したＡ型とＢ型の押ボタンを暗証符号に応じてマトリックス状に配設すると共に、蓋板に平行な関係位置で相互に重合するストッパプレート及び邪魔板の開口を挿通して蓋板の厚さ方向に移動可能に案内し、一方、蓋板内部には、手指によりレバーを回動操作することによって蓋板に平行に移動するストッパプレートと、ストッパばねを介してこのストッパプレートに駆動される邪魔板を設け、この邪魔板に形成された係止板をラッチに係合させることによりラッチの回動を阻止して施錠するようにしたものにおいて、全てのＡ型の押ボタンは押さず全てのＢ型の押ボタンを押すことにより、全ての押ボタンの切欠が邪魔板の開口端縁の位置に整合して邪魔板が移動可能になり、レバーの回動操作により邪魔板が移動して係止板がラッチとの係合を解き、以て蓋板のラッチの回動を可能として蓋板を解錠するようにしたことを特徴とするものである。
【特許文献１】特開２００３−０５６２２３
【特許文献２】特開２００５−０８９９９８
【発明の開示】
【発明が解決しようとする課題】
【０００４】
上記特許文献１に記載のプッシュ釦式ラッチ錠は、例えば郵便受箱の蓋板等に装着されるもので、従来のダイアル錠のように細かい目盛り合わせをする必要がなく、高齢者や子供でも容易に施解錠をすることができ、勿論現在多用されている。
【０００５】
このプッシュ釦錠は、全体の形が鎌形のラッチを例えば郵便箱の開口部に形成された係止片に掛け外すもので、勿論自動施錠が可能である。
【０００６】
ところで、このプッシュ釦錠の掛金機構は、例えば郵便箱の蓋板等錠止力がそんなに要求されない場合には、その機械的強度は充分である。
【０００７】
しかしながら、プッシュ釦錠を例えば住戸や倉庫の扉、或いは大型機械の点検口の蓋板等に適用した場合には掛金機構の錠止力が不足し、無理に扉を開けようとする不正解錠に対し、抵抗力が不足する、等未だ改良の余地がある。
【０００８】
そこで、この発明は、構造が簡単で錠止力が大きく、しかも自動施錠が可能な掛金機構を提供することを目的としている。
【課題を解決するための手段】
【０００９】
上記の目的を達成するため、請求項１に記載された発明は、被施錠体の開口付近に装着され、その蓋板又は扉の自由側端縁に平行な丸棒である係止杆と、上記蓋板又は扉の自由側端部に装着されたケースを有し、このケース内に、上記蓋板又は扉に平行な邪魔板を、蓋板又は扉に平行にかつ直線的に移動可能に案内すると共に、係止杆に近接する方向に付勢し、一方、ケースの一端に、係止杆と係合するＵ字形の係合切欠を形成すると共に、邪魔板の一端に対峙するラッチを係止杆に平行なラッチ軸の回りを回動可能に支承し、他方、このラッチの近傍におけるケース内に、内端に邪魔板の一端部と係合する傾斜端縁を形成し、邪魔板に近接する方向に付勢されたレバーを邪魔板に垂直な方向に移動可能に案内し、また、上記ラッチの邪魔板の一端側の端部に錠止突起を形成し、この錠止突起に、邪魔板の一端においてラッチ軸と平行なストッパ軸の回りを回動可能に支承されたラッチストッパーを係合可能に臨ませると共に、ラッチストッパーの移動軌跡のラッチに近い部分におけるケースに、バックアップ部を形成したことを特徴とする。
【発明の効果】
【００１０】
上記のように構成された請求項１に記載の発明による掛金機構は、施錠時、ラッチと係止杆が係合して被施錠体の開口を錠止し、これを開けようとする外力はラッチの係止突起とラッチストッパーとの係合を介してケースのバックアップ部に衝止されるので、掛金機構の錠止力が向上する。
【００１１】
また、錠前が解錠されて邪魔板が可動になると、レバーを引くだけで邪魔板がラッチから離間する方向に移動するので掛金を容易に外すことができ、更にまた、蓋板又は扉をとじるとラッチと係止杆との係合により自動的にラッチが回転し、このとき係止突起がラッチストッパーを跳ね上げてこれを施錠位置に戻すので、自動施錠が可能になる。
【００１２】
更にまた、この発明を後述する或種のプッシュ釦錠に適用することにより、プッシュ釦の背面の蓋板を外しての暗証番号の変更が可能となり、加えて、構造が簡単である、等種々の効果を奏する。
【発明を実施するための最良の形態】
【００１３】
施錠時、係止杆と係脱するラッチを係止突起とラッチストッパーとの係合を介してケースのバックアップ部に衝止させるようにしたので、係止杆及びラッチを大きくすることができることと相俟て錠止力が向上し、また、蓋板又は扉を閉めるとき、ラッチが係止杆と係合するための回動を利用してラッチストッパーを動かし、ラッチストッパーに錠止突起を乗り越えさせるようにしたので、自動施錠が可能になった。
【実施例１】
【００１４】
以下、この発明の一実施例を図面を参照して説明する。
なお、この実施例は、この発明を前記プッシュ釦錠に適用したものである。
【００１５】
図１において符号１はプッシュ釦錠の全体を示し、このプッシュ釦錠１は、そのケース２の段部３から内側の部分を、例えば倉庫の扉の自由側端縁部に形成された開口に嵌め込み、室内側からねじで呼び付けるようにして扉面に装着される。
【００１６】
上記プッシュ釦錠の表面側には、複数のプッシュ釦４、４がマトリクス状に配設されており、選択されたプッシュ釦４、４を例えば押動して予め設定された暗証符号を入力することにより、邪魔板５が図１で左右方向に移動可能になることは前記特許文献１に記載されたプッシュ釦錠と同様である。
【００１７】
なお、上記プッシュ釦錠１の構造は、前記特許文献１に詳細に記載されているし、また、本発明の要旨ではないので、更に詳細な説明を省略する。
【００１８】
ちなみに、この発明はプッシュ釦錠に限定されることなく、他の形式の錠前、例えば、邪魔板を直線的に移動可能に案内し、その他端、例えば図１で右端を通常のシリンダ錠の内筒に装着された勾玉形のカム（図示せず）によって錠止し、或いは自由にする形式の錠前に適用することができる。
【００１９】
一方、図２に示すように、被施錠体（例えば倉庫：図示せず）の開口付近には、その扉の自由側端縁に平行な丸棒である係止杆６が装着されている。
【００２０】
そして、図１及び図２に示すように、ケース１の一端（図で左端）において、上記係止杆と係合するＵ字形の係合切欠７を形成したラッチ８が、上記係止杆６と平行なラッチ軸９の回りを回動可能に支承されている。
【００２１】
なお、このラッチ８は、扉に平行で、図示しないばねによりラッチ８に近接する方向に付勢された邪魔板５の一端（図で左端）と係合可能に対峙しており、邪魔板５によって制御され、施錠時には邪魔板５を介してケース１に衝止され、解錠時には邪魔板から自由になる。
【００２２】
すなわち、図３に示すように、邪魔板５は全体の形状が略横向き凸字形の板状体で、その幅が狭くなった一端は図３で下側に折り曲げられて一対の袖部１１、１１が形成されている（図２参照）。
【００２３】
そして、この袖部１１、１１の間に、両端にストッパ軸１２、１２を一体に接続した細長い厚板状のラッチストッパー１３（図４参照）が、前記ラッチ軸９と平行なストッパ軸１２の回りを回動可能に支承されている。
【００２４】
ちなみに、上記ストッパ軸１２は袖部１１の付番しない軸穴に嵌合しており、その一方は丸い軸穴であるが、他方は組立を容易にするためＵ字形で一端が下方に開いた切欠になっている（図示せず）。
【００２５】
また、図２に示すように、ラッチストッパー１３には捩りコイルばねとしてのストッパばね１４が弾装されており、このストッパばね１４の弾力によりラッチストッパー１３は図２で反時計方向に、すなわち後述するケースのバックアップ部に弾接する方向に付勢されている。
【００２６】
更にまた、図１に示すように（図２には示さない）、上記ラッチ８が収納されているケース１の一端における空洞部１４の、紙面方向における中央部には、図面を明瞭にするため付番しないバックアップ部が形成されており、上記したように、ラッチストッパー１３はその自由側端縁部をこのバックアップ部から少しはみ出させた状態でこれに弾接している。
【００２７】
また、図１及び図２に示すように、邪魔板５の一端における幅の狭い部分が一部他端側に切り起こされ、傾斜した係合片１５が形成されている。
【００２８】
この係合片は、後述するレバーの傾斜端縁１８と面接合させるためその傾斜角度を傾斜端縁と同じくしてあるが、必ずしも面接合させなくとも良く、その場合には、係合片１５の傾斜角度を図２に示す角度より邪魔板５に近接する方向に小さくする。
【００２９】
他方、この係合片１５が切り起こされた邪魔板１の一端部には、その結果として例えば矩形の開口である作動口１６（図３参照）が形成されるが、この作動口１６を邪魔板５の板厚方向に貫通するように、次に述べるレバー１７の頭部が挿通している。
【００３０】
このレバー１７は邪魔板５に垂直な方向、すなわち、図２で上下方向に移動可能に案内されており、その頭部の紙面方向の寸法は例えば上記作動孔１６（図３参照）の邪魔板の幅方向の寸法と同程度に設定されている。
【００３１】
そして、そのレバー頭部の他端側の側面は斜に削がれ、上記係合片１５に面接合し得る傾斜端縁１８が形成されている。
【００３２】
また、レバー１７の頭部より下の部分の紙面方向の寸法は、例えば邪魔板５の幅方向とほぼ同じ程度に設定されており、その中央部には図示しない開口が形成されている。
【００３３】
そのため、プッシュ釦錠の表面に形成された手掛け空洞部１９（図１参照）に指を挿入すれば、容易にその開口に指先を掛けることができ、それを手がかりにレバー１７を外側に引出すことができる。
【００３４】
更にまた、レバー１７の上部で紙面方向における両端部（レバーの両側端縁上端部）には、図２に示すように断面が矩形のばね押し部２１が突設されており、これらばね押し部２１、２１は、レバー１７の案内を兼ねるレバーばね収納洞に弾装された圧縮コイルばねとしてのレバーばね２２に弾接している。
【００３５】
そのため、レバー１７は邪魔板５に近接する方向、換言すれば、図２で上方に付勢されることになる。
【００３６】
ここで、図２及び図５を参照してラッチ８の構成の説明に戻ると、上記した邪魔板５、ラッチストッパー１３及びレバー１７に関連して、ラッチ軸９に関し前記係合切欠７と対称的な角度位置に錠止突起２３が突設されている。
【００３７】
なお、図２及び図５において符号２４はクリックボールを、符号２５は施錠時クリックボール２４と係合する第１クリック溝を、符号２６は解錠時クリックボール２４と係合する第２クリック溝を夫々示し、これらが構成するクリック装置は、施解錠時ラッチ８の作動にクリック感を付与する。
【００３８】
上記のように構成されたこの発明の一実施例による掛金機構は、施錠時には、図２に示すように、クリックボール２４が第１クリック溝に入り込んでラッチ８の施錠角度位置を準安定的に保持する。
【００３９】
この状態でレバー１７を手前に(図２で下方に)引くと、或いは、異なる暗証符号を入力してプッシュ釦錠が解錠しない状態でレバー１７を手前に引くと、係止杆６の位置が変わらない状態でラッチ８が下降するので、図６に示すように、ラッチ８がラッチ軸９の回りを時計方向に少し回動する。
【００４０】
その結果、ラッチの錠止突起２３がラッチストッパー２３と係合するに至るが、前記したようにラッチストッパー２３はケースに形成されたバックアップ部に接合しているので、錠止突起２３、換言すればラッチ８はラッチストッパー２３を介してバックアップ部に衝止され、結局ラッチ８は錠止される。
【００４１】
一方、プッシュ釦４、４の押動によりプッシュ釦錠に正しい暗証番号を入力すると、前記したように邪魔板５の拘束が解けて可動になるので、レバー７を手指により手前側に引くと、図５に示すようにラッチストッパー１３がラッチ８から離間する方向に移動し、ラッチの拘束が解ける。
【００４２】
そのため、レバー７から指を離さずに更に手前に引くと、ラッチ８が時計方向に回動して係止杆６を解放し、扉が開く。
【００４３】
扉を開いた後レバー７から指を離してこれを解放すると、レバー７はケース２の内方に移動するので、邪魔板５が再びラッチ８に近接するが、図７に示すように、このときにはラッチストッパー１３がラッチの錠止突起２３に乗り上がる。
【００４４】
この状態で扉を閉めると、ラッチ８と係止杆６との係合によりラッチ杆８が反時計方向に回動し、このとき錠止突起２３がラッチストッパー１３の側端縁を跳ね上げるので、結局、図２に示す施錠状態に戻る。
【００４５】
換言すれば、このプッシュ釦錠は自動施錠される。
【００４６】
なお、前記［発明の効果］の欄に記載したように、また、前記特許文献２に記載の発明のように、ある種のプッシュ釦錠は被施錠体の扉や蓋板を開けて、すなわち解錠した状態で、図１で上側の背面の蓋板を外して暗証番号を変更することが可能であり、そのときには、通常、ラッチ８が解錠状態にあり（図７参照）、また、邪魔板５がラッチ方向に移動している必要がある。
【００４７】
本発明による掛金機構は、図７に示すように、ラッチストッパー１３が傾いて上記の状態を保つことができるので、蓋板を外しての暗証番号の変更が可能となる。
【図面の簡単な説明】
【００４８】
【図１】この発明の一実施例による掛金機構を備えたプッシュ釦錠の縦断面図。
【図２】この発明の一実施例による掛金機構の作動を説明するための線図で、施錠状態を示す。
【図３】邪魔板の一例を示す平面図。
【図４】ラッチストッパーの平面図。
【図５】この発明の一実施例による掛金機構の作動を説明するための図２と同様の線図で、解錠状態を示す。
【図６】この発明の一実施例による掛金機構の作動を説明するための図２と同様の線図で、プッシュ釦錠を解錠せずに扉を開けようとした状態を示す。
【図７】この発明の一実施例による掛金機構の作動を説明するための図２と同様の線図で、図５に示す解錠状態においてレバーを自由にした状態を示す。
【符号の説明】
【００４９】
１  プッシュ釦錠
２  ケース
３  段部
４  プッシュ釦
５  邪魔板
６  係止杆
７  係合切欠
８  ラッチ
９  ラッチ軸
１１  袖部
１２  ストッパ軸
１３  ラッチストッパー
１４  ストッパばね
１５  係合片
１６  作動孔
１７  レバー
１８  傾斜端縁
１９  手掛け空洞部
２１  ばね押し部
２２  レバーばね
２３  錠止突起
２４  クリックボール
２５  第１クリック溝
２６  第２クリック溝
【図１】
2008179984.tif 000003
【図２】
2008179984.tif 000004
【図３】
2008179984.tif 000005
【図４】
2008179984.tif 000006
【図５】
2008179984.tif 000007
【図６】
2008179984.tif 000008
【図７】
2008179984.tif 000009